(57)【要約】【課題】  自動販売機の外部の冷却が可能な温度調整システムなどを提供する。【解決手段】  温度調整システム１は、抵抗部７３と、冷却ファンを有し抵抗部７３に冷却風を供給する冷却部７１とを有する負荷試験装置７０と、蒸発器からの冷気が流れる循環路を含む自動販売機１０と、冷却ファンと、自動販売機１０に電力の供給が可能な発電機５０と、空気誘導部９１とを備える。空気誘導部９１は、循環路と連通し、冷却部７１の吸気口と連通する。抵抗部７３への電力供給が行われない状態で、負荷試験装置７０は、空気誘導部９１を介した、循環路からの冷気の吸い込みと循環路への空気の供給の少なくとも一方を行う。温度調整システム１は、発電機５０と、負荷試験装置７０を収納する発電機収納ラック６０を更に備える。空気誘導部９１は、発電機収納ラック６０を介して、負荷試験装置７０に取り付けられる。【選択図】図９
2020176809.tif 000002
【特許請求の範囲】
【請求項１】
抵抗部と、冷却ファンを有し前記抵抗部に冷却風を供給する冷却部とを有する負荷試験装置と、
蒸発器からの冷気が流れる循環路を含む自動販売機と、
前記冷却ファンと、前記自動販売機に電力の供給が可能な発電機と、
空気誘導部とを備え、
前記空気誘導部は、前記循環路と連通し、前記冷却部の吸気口と前記抵抗部の排気口の少なくとも一方と連通する、温度調整システム。
【請求項２】
前記抵抗部への電力供給が行われない状態で、前記負荷試験装置は、前記空気誘導部を介して、前記循環路からの冷気の吸い込みと前記循環路への空気の供給の少なくとも一方を行う、請求項１に記載の温度調整システム。
【請求項３】
前記発電機と、前記負荷試験装置を収納する発電機収納ラックを更に備え、
前記空気誘導部は、前記発電機収納ラックを介して、前記負荷試験装置に取り付けられる、請求項１に記載の温度調整システム。
【請求項４】
制御装置を更に備え、
前記発電機は、前記冷却ファンと、前記自動販売機に電力供給が可能な状態で、前記発電機収納ラックに設置され、
商用電源から前記自動販売機への電力供給が行われておらず、前記自動販売機の外部の温度が第１温度閾値よりも高い場合に、前記制御装置は、前記発電機から前記自動販売機への電力供給と、前記発電機から前記冷却ファンへの電力供給を行わせる、請求項３に記載の温度調整システム。
【請求項５】
前記空気誘導部には、逆流防止弁が設けられ、
前記逆流防止弁は、前記空気誘導部の前記循環路と連通する側の端部の開口を塞ぐように付勢され、前記循環路からの冷気の吸い込みと前記循環路への空気の供給の少なくとも一方によって開く、請求項１に記載の温度調整システム。
【請求項６】
発電機の負荷試験装置であって、抵抗部と前記発電機から電力供給を受ける冷却ファンを有し前記抵抗部に冷却風を供給する冷却部とを有するものと、蒸発器からの冷気が流れる循環路を含む自動販売機であって前記発電機から電力供給を受けるものとの間で、前記循環路からの冷気の吸い込みと前記循環路への空気の供給の少なくとも一方を行うために使用される空気誘導部であって、
前記循環路と連通し、前記冷却部の吸気口と前記抵抗部の排気口の少なくとも一方と連通する、空気誘導部。
【発明の詳細な説明】
【技術分野】
【０００１】
本発明は、温度調整システムなどに関する。
【背景技術】
【０００２】
従来、特許文献１のように、自動販売機が提案されている。
【先行技術文献】
【特許文献】
【０００３】
【特許文献１】特開２０１９−８６２１号公報
【発明の概要】
【発明が解決しようとする課題】
【０００４】
しかしながら、自動販売機の冷却装置は自動販売機内の商品を冷却するだけであって、自動販売機の外部を冷却することが想定されていない。
【０００５】
したがって本発明の目的は、自動販売機の外部の冷却が可能な温度調整システムなどを提供することである。
【課題を解決するための手段】
【０００６】
本発明に係る温度調整システムは、抵抗部と、冷却ファンを有し抵抗部に冷却風を供給する冷却部とを有する負荷試験装置と、蒸発器からの冷気が流れる循環路を含む自動販売機と、冷却ファンと、自動販売機に電力の供給が可能な発電機と、空気誘導部とを備える。空気誘導部は、循環路と連通し、冷却部の吸気口と抵抗部の排気口の少なくとも一方と連通する。
【０００７】
これにより、自動販売機から冷気の一部を外部に排出し、自動販売機の外部を冷やすことも可能になる。
【０００８】
好ましくは、抵抗部への電力供給が行われない状態で、負荷試験装置は、空気誘導部を介して、循環路からの冷気の吸い込みと循環路への空気の供給の少なくとも一方を行う。
【０００９】
また、好ましくは、温度調整システムは、発電機と、負荷試験装置を収納する発電機収納ラックを更に備える。空気誘導部は、発電機収納ラックを介して、負荷試験装置に取り付けられる。
【００１０】
停電など、商用電源からの電力供給が途切れた際に、発電機収納ラックに収納された発電機からの電力供給により、自動販売機の動作を維持させることが可能になる。
また、発電機収納ラックに収納された負荷試験装置からの吸い込みや空気供給に基づいて、自動販売機の内部の冷気を外部に供給することが可能になる。
【００１１】
さらに好ましくは、温度調整システムは、制御装置を更に備える。発電機は、冷却ファンと、自動販売機に電力供給が可能な状態で、発電機収納ラックに設置される。商用電源から自動販売機への電力供給が行われておらず、自動販売機の外部の温度が第１温度閾値よりも高い場合に、制御装置は、発電機から自動販売機への電力供給と、発電機から冷却ファンへの電力供給を行わせる。
【００１２】
また、好ましくは、空気誘導部には、逆流防止弁が設けられる。逆流防止弁は、空気誘導部の循環路と連通する側の端部の開口を塞ぐように付勢され、循環路からの冷気の吸い込みと循環路への空気の供給の少なくとも一方によって開く。
【００１３】
必要な時以外に、自動販売機からの冷気が、空気誘導部に流れ込むのを防止することが出来る。
【００１４】
本発明に係る空気誘導部は、発電機の負荷試験装置であって、抵抗部と発電機から電力供給を受ける冷却ファンを有し抵抗部に冷却風を供給する冷却部とを有するものと、蒸発器からの冷気が流れる循環路を含む自動販売機であって発電機から電力供給を受けるものとの間で、循環路からの冷気の吸い込みと循環路への空気の供給の少なくとも一方を行うために使用される。空気誘導部は、循環路と連通し、冷却部の吸気口と抵抗部の排気口の少なくとも一方と連通する。
【００１５】
以上のように本発明によれば、自動販売機の外部の冷却が可能な温度調整システムなどを提供することができる。
【図面の簡単な説明】
【００１６】
【図１】本実施形態における温度調整システムの前方から見た斜視図である。
【図２】本実施形態における通常使用モードや第２非常モードの自動販売機の内部構造を示す模式図である。
【図３】本実施形態における第１非常モードの自動販売機の内部構造を示す模式図である。
【図４】本実施形態における温度調整システムの前方から見た斜視図で、開閉扉と空気排出部を省略したものである。
【図５】本実施形態における温度調整システムの後方から見た斜視図である。
【図６】本実施形態における温度調整システムの部材の構成を示す模式図である。
【図７】本実施形態における温度調整システムの後方から見た斜視図で、空気誘導部と発電機収納ラックの背面壁を省略したものである。
【図８】本実施形態の空気誘導部の後方から見た斜視図である。
【図９】本実施形態における温度調整システムの後方から見た斜視図で、発電機収納ラックの背面壁を省略したものである。
【図１０】本実施形態の空気排出部の前方から見た斜視図である。
【図１１】本実施形態における温度調整システムの前方から見た斜視図で、開閉扉を省略したものである。
【発明を実施するための形態】
【００１７】
以下、本実施形態について、図を用いて説明する。
本実施形態における温度調整システム１は、自動販売機１０、発電機５０、発電機収納ラック６０、負荷試験装置７０、空気誘導部９１、空気排出部９２を備える（図１〜図１１参照）。
【００１８】
方向を説明するために、発電機収納ラック６０と自動販売機１０が並べられる方向をｘ方向、ｘ方向と垂直で、自動販売機１０の背面１０ｂと正面１０ａが並べられる方向をｙ方向、ｘ方向とｙ方向に垂直な方向をｚ方向として説明する。
図１において、ｘｙｚ軸のそれぞれの矢印が指し示す方向をそれぞれ左方向、前方向、上方向と定義する。
【００１９】
（自動販売機１０の構成）
自動販売機１０は、温度調整部１１、商品収納ラック１３、搬出シューター１５、取り出し口１７、背面開口１９、循環路２１、制御装置２３、通信装置２５を有する（図２、図３参照）。
【００２０】
（自動販売機１０の温度調整部１１）
温度調整部１１は、自動販売機１０の下領域に設けられ、圧縮器１１ａ、凝縮器１１ｂ、凝縮器用ファン１１ｃ、膨張弁１１ｄ、蒸発器１１ｅ、蒸発器用ファン１１ｆ、冷媒循環路１１ｇを有する。
温度調整部１１は、循環路２１を介して、商品収納ラック１３に収納された商品に供給する冷気を供給する。
圧縮器１１ａは、冷媒を圧縮して、高温高圧の気体冷媒にする。
凝縮器１１ｂは、圧縮器１１ａから送られてきた高温高圧の気体冷媒を凝縮して、常温高圧の液体冷媒にし、熱を外部に放出する。
凝縮器用ファン１１ｃは、凝縮器１１ｂに風を送り込む。
膨張弁１１ｄは、凝縮器１１ｂによって常温高圧の液体冷媒を蒸発器１１ｅに送る前に、蒸発（気化）しやすいように急激に膨張させ、低温低圧の液体冷媒にする。
蒸発器１１ｅは、外部からの熱を吸収し、膨張弁１１ｄから送られてきた低温低圧の液体冷媒を蒸発させる。
蒸発器用ファン１１ｆは、蒸発器１１ｅに風を送り込む。
冷媒循環路１１ｇは、圧縮器１１ａ、凝縮器１１ｂ、膨張弁１１ｄ、蒸発器１１ｅを連結し、内部に冷媒が流れる。
本実施形態では、温度調整部１１が空気を冷やし、冷気を商品収納ラック１３に収納された商品に供給する形態を説明するが、温度調整部１１が空気を温め、温かい空気を商品収納ラック１３に収納された商品に供給する形態であってもよい。
【００２１】
（自動販売機１０の商品収納ラック１３）
商品収納ラック１３は、自動販売機１０の上領域に設けられ、商品を保持し、商品購入者による金銭投入操作などにより、保持した商品の１つの保持状態を解除し、搬出シューター１５を介して、取り出し口１７に排出する。
【００２２】
（自動販売機１０の搬出シューター１５）
搬出シューター１５は、商品収納ラック１３の下部に設けられ、商品収納ラック１３による保持状態が解除された商品を、取り出し口１７の方に誘導する。
【００２３】
（自動販売機１０の取り出し口１７）
取り出し口１７は、自動販売機１０の正面１０ａに設けられる。
取り出し口１７には、取り出し口１７を塞ぐ方向に付勢された取り出し口扉１７ａが設けられる。商品購入者は、取り出し口扉１７ａを開いた状態で、取り出し口１７の近傍に配置された商品を取り出すことが出来る。
【００２４】
（自動販売機１０の背面１０ｂ）
自動販売機１０の背面１０ｂには、背面開口１９（第１自動販売機側背面開口１９ａ、第２自動販売機側背面開口１９ｂ）が設けられる。
第１自動販売機側背面開口１９ａは、背面１０ｂの循環路２１と連通し、空気誘導部９１が取り付けられる。
第２自動販売機側背面開口１９ｂは、背面１０ｂの下方で、凝縮器１１ｂに空気を供給するため、すなわち、凝縮器用ファン１１ｃの吸気のために設けられる。
【００２５】
（自動販売機１０の循環路２１）
循環路２１は、商品収納ラック１３と自動販売機１０の背面１０ｂの間に設けられた、冷気の通路である。
蒸発器用ファン１１ｆが蒸発器１１ｅに送り込んだ風は、蒸発器１１ｅで熱を奪われ、冷気となって、循環路２１を通って、上方に流れ、商品収納ラック１３や搬出シューター１５の隙間を通って、下方に流れ、蒸発器用ファン１１ｆに戻る。
これにより、商品収納ラック１３に収納された商品が冷やされる。
【００２６】
商用電源から自動販売機１０への電力供給が行われている通常使用モードでは、蒸発器用ファン１１ｆから送られる風が、自動販売機１０の内部を循環する（図２参照）。
通常使用モードでは、蒸発器用ファン１１ｆなど、自動販売機１０の電気部材は、商用電源から供給された電力に基づいて駆動する。
【００２７】
停電など、商用電源から自動販売機１０への電力供給が行われない非常時であって、自動販売機１０が外部へ冷気を供給する第１非常モードでは、蒸発器用ファン１１ｆから送られる風が、自動販売機１０の内部を循環するとともに、一部が、空気誘導部９１を介して、負荷試験装置７０に送られる（図３参照）。
第１非常モードでは、蒸発器用ファン１１ｆなど、自動販売機１０の電気部材は、発電機５０から供給された電力に基づいて駆動する。
【００２８】
停電など、商用電源から自動販売機１０への電力供給が行われない非常時であって、自動販売機１０が外部へ冷気を供給しない第２非常モードでは、蒸発器用ファン１１ｆから送られる風が、自動販売機１０の内部を循環する（図２参照）。
第２非常モードでは、蒸発器用ファン１１ｆなど、自動販売機１０の電気部材は、発電機５０から供給された電力に基づいて駆動する。
【００２９】
（自動販売機１０の制御装置２３）
制御装置２３は、商用電源からの電力供給が行われているか否かの第１判断を行う。
商用電源からの電力供給が行われていない場合、第１非常モード若しくは第２非常モードで、制御装置２３は、発電機５０を駆動させる。
商用電源からの電力供給が行われている場合は、通常使用モードで、制御装置２３は、発電機５０を駆動させない。
【００３０】
制御装置２３は、商用電源若しくは発電機５０からの電力で駆動するが、商用電源からの電力の供給がなく、発電機５０からの電力の供給も無い時間帯、すなわち、商用電源からの電力供給が途切れてから発電機５０から電力が供給されるまでの間は、内蔵するバッテリーなどの蓄電装置で駆動する。
当該蓄電装置は、商用電源や発電機５０からの電力で蓄電される。
【００３１】
また、制御装置２３は、商用電源からの電力供給が行われない場合に、自動販売機１０の外部へ冷気を供給するか否かの第２判断を行う。
具体的には、発電機５０からの電力供給を受けている状態で、制御装置２３は、自動販売機１０の外部の温度Ｔを検知する。
検知した温度Ｔが第１温度閾値Ｔ１よりも高い場合（Ｔ＞Ｔ１）には、第１非常モードで、制御装置２３は、負荷試験装置７０の冷却ファン７１ａを駆動させる。この場合、抵抗部７３への電力供給は行われない。
すなわち、抵抗部７３への電力供給が行われない状態で、負荷試験装置７０は、空気誘導部９１を介した、循環路２１への冷気の吸い込み（吸気）を行う。
【００３２】
検知した温度Ｔが第１温度閾値Ｔ１よりも高くない場合（Ｔ≦Ｔ１）には、第２非常モードで、制御装置２３は、負荷試験装置７０の冷却ファン７１ａを駆動させない。この場合、抵抗部７３への電力供給も行われない。
【００３３】
制御装置２３による発電機５０の駆動制御、及び負荷試験装置７０の冷却ファン７１ａの駆動制御は、通信装置２５を介して、無線で行われる形態であってもよいし、有線ケーブルを介して、行われる形態であってもよい。
【００３４】
制御装置２３は、自動販売機１０に内蔵される形態であってもよいが、発電機５０や負荷試験装置７０に内蔵される形態であってもよいし、パーソナルコンピューターなど別体で構成されて、発電機収納ラック６０などに収納される形態であってもよい。
【００３５】
また、制御装置２３は、商用電源からの電力供給が行われない状態であって、発電機５０からの電力供給が必要な状態であることを警告出力したり、通信装置２５を介して、自動販売機１０の管理サーバーに情報送信したりするが、発電機５０のオンオフ制御を行わない形態であってもよい。この場合は、使用者の手動操作で、発電機５０のオンオフ制御が行われる。
また、制御装置２３は、商用電源からの電力供給が行われない状態であって、自動販売機１０の外部の温度Ｔが第１温度閾値Ｔ１よりも高い場合に、冷却ファン７１ａの駆動が必要な状態であることを警告出力したり、通信装置２５を介して、自動販売機１０の管理サーバーに情報送信したりするが、冷却ファン７１ａのオンオフ制御を行わない形態であってもよい。この場合は、使用者の手動操作で、冷却ファン７１ａのオンオフ制御が行われる。
【００３６】
（自動販売機１０の通信装置２５）
通信装置２５は、電話回線などを介して、自動販売機１０の管理サーバーと通信を行い、自動販売機１０の使用状況（商品の在庫など）に関する情報を送信する。
また、通信装置２５は、発電機５０や負荷試験装置７０と通信を行って、発電機５０の駆動制御や、冷却ファン７１ａの駆動制御の通信手段として使用されてもよい。
【００３７】
（発電機５０の構成）
発電機５０は、エンジンで得られた回転力を電気に変換するなどして、電力を発生させる装置で、例えば、ガソリンなどの液体燃料と、ＬＰガス（Liquefied Petroleum Gas）などの気体燃料の両方で発電が可能な発電機が考えられる。
発電機５０のエンジンには、吸気のための吸気管５１が設けられる。
発電機５０のエンジンには、排気ガスを排出するための排気管５２が設けられる。
発電機５０は、負荷試験装置７０の冷却部７１（冷却ファン７１ａ、制御部７１ｂ、操作部７１ｃ）に電力を供給する。
発電機５０は、負荷試験装置７０で負荷試験を行う場合には、負荷試験装置７０の抵抗部７３（第１抵抗器群７３ａ、第２抵抗器群７３ｂ、第３抵抗器群７３ｃ）にも、電力を供給する。
発電機５０は、自動販売機１０とも電気的に接続され、商用電源から自動販売機１０への電力供給が停止した場合に、自動販売機１０に電力を供給する。
【００３８】
（発電機収納ラック６０の構成）
発電機収納ラック６０は、発電機５０と負荷試験装置７０を収納する（図４参照）。
【００３９】
発電機収納ラック６０の正面には、開閉扉６１が設けられる（図１参照）。
開閉扉６１には、後述する空気排出部９２の第２誘導管９２ａを通すための開閉扉開口６１ａが設けられる。
【００４０】
ただし、第２誘導管９２ａは、発電機収納ラック６０の正面から外部に突出する形態に限るものではなく、発電機収納ラック６０の側面壁や背面壁６２を通って外部に突出する形態であってもよい。第２誘導管９２ａを、発電機収納ラック６０の側面壁や背面壁６２に通す場合は、開閉扉６１に開閉扉開口６１ａは設けられない。
【００４１】
発電機収納ラック６０の背面には、背面壁６２が設けられる（図５参照）。
背面壁６２には、第１ラック側背面開口６２ａと第２ラック側背面開口６２ｂと第３ラック側背面開口６２ｃが設けられる。
第１ラック側背面開口６２ａは、負荷試験装置７０の冷却部７１の吸気口と対向する領域に設けられ、空気誘導部９１が通る。
第２ラック側背面開口６２ｂには、発電機５０の吸気管５１が通る。
第３ラック側背面開口６２ｃには、発電機５０の排気管５２が通る。
【００４２】
吸気管５１と排気管５２が、発電機収納ラック６０の背面壁６２がある側に延びるように、発電機５０が発電機収納ラック６０に設置される。
ただし、吸気管５１と排気管５２の少なくとも一方が、側面壁や正面の開閉扉６１を通って外部に延びる形態であってもよい。
【００４３】
なお、発電機収納ラック６０の内部の構造を示すために、図４と図７と図９と図１１は、開閉扉６１と背面壁６２の図示を省略している。
また、空気誘導部９１の内部の構造を示すために、図８は、後方から見えない部分を点線で示している。
また、空気排出部９２の内部の構造を示すために、図１０は、前方から見えない部分を点線で示している。
【００４４】
（負荷試験装置７０の構成）
負荷試験装置７０は、冷却部７１、抵抗部７３を有し、発電機５０などの試験対象電源の負荷試験に用いられる（図６参照）。
本実施形態では、負荷試験装置７０は、試験対象電源の負荷試験のためだけでなく、自動販売機１０から冷気を吸い込んで外部に排出するために用いられる。
負荷試験装置７０は、冷却部７１と抵抗部７３がｙ方向に並べられ、冷却部７１の吸気口が発電機収納ラック６０の背面壁６２と対向し、抵抗部７３の排気口が発電機収納ラック６０の開閉扉６１と対向するように、発電機収納ラック６０に設置される（図７参照）。
ただし、負荷試験を行う際には、負荷試験装置７０は、発電機収納ラック６０の外に設置されても良い。
【００４５】
冷却部７１は、冷却ファン７１ａ、制御部７１ｂ、操作部７１ｃを有する。
冷却ファン７１ａは、抵抗部７３に冷却風を供給する。
制御部７１ｂは、操作部７１ｃの操作状況などに基づいて、各部を制御する。
特に、制御部７１ｂは、操作部７１ｃの操作状況などに基づいて、負荷試験を行う場合に、抵抗部７３の第１抵抗器群７３ａ、第２抵抗器群７３ｂ、第３抵抗器群７３ｃのうち、発電機５０から電力を供給する対象を制御する。
操作部７１ｃは、負荷試験装置７０の電源オンオフスイッチや、電力供給する抵抗器群を選択するための選択スイッチなどを有する。
【００４６】
抵抗部７３は、棒状の抵抗器が複数本並べられた抵抗器群が、複数セット設けられたものである。
本実施形態は、抵抗部７３が、３つの抵抗器群（第１抵抗器群７３ａ、第２抵抗器群７３ｂ、第３抵抗器群７３ｃ）を有する例を示すが、抵抗器群の数は３つに限るものではない。
【００４７】
なお、本実施形態では、制御部７１ｂや操作部７１ｃが冷却部７１に設けられる形態を説明するが、制御部７１ｂや操作部７１ｃが抵抗部７３に設けられる形態であってもよい。
【００４８】
負荷試験を行う場合など、抵抗部７３の抵抗器群の少なくとも１つに電力を供給する際には、冷却ファン７１ａが駆動され、抵抗部７３に冷却風が供給される。
この場合、抵抗部７３の排気口からは、抵抗器群の発熱で温められた空気が排出される。
【００４９】
また、第１非常モードで、自動販売機１０から冷気を吸い込む際には、抵抗部７３の抵抗器群への電力供給を行わない状態で、冷却ファン７１ａが駆動され、抵抗部７３に冷却風が供給される。
この場合、抵抗部７３の排気口からは、抵抗器群の発熱で温められていない空気が排出される。
【００５０】
（空気誘導部９１の構成）
空気誘導部９１は、負荷試験装置７０の冷却ファン７１ａが自動販売機１０の冷気を吸い込むための管状のダクトであり、第１誘導管９１ａ、第１収集部９１ｂ、逆流防止弁９１ｃを有する（図８参照）。
第１誘導管９１ａは、一方の端部が第１自動販売機側背面開口１９ａと連通し、他方の端部が第１収集部９１ｂの一方の端部と連通する（図５参照）。
第１収集部９１ｂは、一方の端部が第１誘導管９１ａの他方の端部と連通し、他方の端部が負荷試験装置７０の冷却部７１の吸気口と連通する（図９参照）。
【００５１】
すなわち、本実施形態の空気誘導部９１は、一方の端部が第１自動販売機側背面開口１９ａを介して、循環路２１と連通し、他方の端部が負荷試験装置７０の冷却部７１の吸気口と連通する。
【００５２】
なお、図では、空気誘導部９１が、略角柱形状を有する例を示すが、略円柱形状など、他の形状であってもよい。
また、第１誘導管９１ａと冷却部７１の吸気口の径の違いを調整するために第１収集部９１ｂが設けられる形態を説明したが、第１誘導管９１ａの径を大きくして、直接冷却部７１の吸気口と連通させる形態であってもよい。
【００５３】
逆流防止弁９１ｃは、第１誘導管９１ａの一方の端部に設けられる。
逆流防止弁９１ｃは、第１誘導管９１ａの一方の端部（空気誘導部９１の循環路２１と連通する側の端部）の開口を塞ぐように付勢され、第１誘導管９１ａの他方の端部（空気誘導部９１の冷却部７１の吸気口と連通する側の端部）からの吸い込みによって開く。
逆流防止弁９１ｃは、通常使用モードと第２非常モードの時に、自動販売機１０の蒸発器用ファン１１ｆからの冷気が、第１誘導管９１ａに流れ込むのを防止するために使用される。
【００５４】
（空気排出部９２の構成）
空気排出部９２は、負荷試験装置７０の抵抗部７３から冷気を外部に排出するための管状のダクトであり、第２誘導管９２ａ、第２収集部９２ｂを有する（図１０参照）。
第２誘導管９２ａは、一方の端部が第２収集部９２ｂの他方の端部と連通し、他方の端部が温度調整システム１の外部で開口する（図１１参照）。すなわち、第２誘導管９２ａの他方の端部は、他の部材と接続しない。
第２収集部９２ｂは、一方の端部が負荷試験装置７０の抵抗部７３の排気口と連通し、他方の端部が第２誘導管９２ａの一方の端部と連通する。
すなわち、本実施形態の空気排出部９２は、一方の端部が負荷試験装置７０の抵抗部７３の排気口と連通し、他方の端部が温度調整システム１の外部で開口する。
【００５５】
なお、図では、空気排出部９２が、略角柱形状を有する例を示すが、略円柱形状など、他の形状であってもよい。
また、第２誘導管９２ａと抵抗部７３の排気口の径の違いを調整するために第２収集部９２ｂが設けられる形態を説明したが、第２誘導管９２ａの径を大きくして、直接抵抗部７３の排気口と連通させる形態であってもよい。
【００５６】
（空気の流れについて）
次に、空気誘導部９１と空気排出部９２を介した、空気の流れについて説明する。
初期状態として、発電機収納ラック６０には、発電機５０と負荷試験装置７０が設置されている。
発電機５０は、負荷試験装置７０の冷却ファン７１ａと、自動販売機１０と電気的に接続され、発電機５０をオン状態にした場合に、冷却ファン７１ａと自動販売機１０への電力供給が可能な状態にされている。
第１誘導管９１ａの逆流防止弁９１ｃがある側が第１自動販売機側背面開口１９ａと連通し、第１収集部９１ｂが負荷試験装置７０の冷却部７１の吸気口と連通するように、空気誘導部９１は、自動販売機１０の背面１０ｂや、発電機収納ラック６０の背面壁６２に取り付けられる。
第２収集部９２ｂが負荷試験装置７０の抵抗部７３の排気口と連通し、第２誘導管９２ａの他方の端部が発電機収納ラック６０の外部で開口するように、空気排出部９２は、負荷試験装置７０に取り付けられる。
商用電源からの電力供給が行われている場合は、通常使用モードで、発電機５０はオフ状態にされる。
【００５７】
なお、発電機５０の負荷試験や、他の試験対象電源の負荷試験を行う場合には、負荷試験装置７０は、空気誘導部９１や空気排出部９２が取り付けられた状態を解除し、発電機収納ラック６０から取り出される。
負荷試験の終了後、負荷試験装置７０は、発電機収納ラック６０に設置され、空気誘導部９１や空気排出部９２と接続される。
【００５８】
商用電源からの電力供給が行われていない場合、第１非常モード若しくは第２非常モードで、発電機５０はオン状態にされ、自動販売機１０への電力供給を行う。
自動販売機１０が発電機５０からの電力供給を受けている状態で、自動販売機１０の外部の温度Ｔが第１温度閾値Ｔ１よりも高くない場合には、第２非常モードで、発電機５０は、負荷試験装置７０の冷却ファン７１ａへの電力供給を行わない。
通常使用モードや、第２非常モードでは、負荷試験装置７０の冷却ファン７１ａから空気誘導部９１を介した自動販売機１０の冷気の吸い込みは行われない。
【００５９】
自動販売機１０が発電機５０からの電力供給を受けている状態で、自動販売機１０の外部の温度Ｔが第１温度閾値Ｔ１よりも高い場合には、第１非常モードで、発電機５０は、負荷試験装置７０の冷却ファン７１ａへの電力供給を行う。
第１非常モードでは、負荷試験装置７０の冷却ファン７１ａから空気誘導部９１を介した自動販売機１０の冷気の吸い込みが行われる。
【００６０】
冷却ファン７１ａが抵抗部７３に空気を送り込むように回転すると、冷却部７１の吸気口に取り付けられた空気誘導部９１が負圧となり、逆流防止弁９１ｃが開く。
これにより、自動販売機１０の循環路２１に流れる冷気の一部が、空気誘導部９１を介して、冷却部７１に吸い込まれる。
冷却部７１に吸い込まれた冷気は、冷却ファン７１ａによって、抵抗部７３や空気排出部９２を介して、温度調整システム１の外部に排出される。
【００６１】
これにより、自動販売機１０から冷気の一部を外部に排出し、自動販売機１０の外部を冷やすことも可能になる。
【００６２】
すなわち、本実施形態では、停電など、商用電源からの電力供給が途切れた際に、自動販売機１０に隣接した発電機収納ラック６０に収納された発電機５０からの電力供給により、自動販売機１０の動作を維持させることが可能になる。
また、発電機収納ラック６０に収納された負荷試験装置７０からの吸い込みにより、自動販売機１０の内部の冷気を外部に供給することが可能になる。
【００６３】
（負荷試験装置７０の配置の別形態）
本実施形態では、負荷試験装置７０の冷却部７１の吸気口に、自動販売機１０と連通する空気誘導部９１が取り付けられ、負荷試験装置７０の抵抗部７３の排気口に、他方が開口する空気排出部９２が取り付けられる形態を説明した。
しかしながら、負荷試験装置７０の抵抗部７３の排気口に、空気誘導部９１が取り付けられ、負荷試験装置７０の冷却部の吸気口に、空気排出部９２が取り付けられる形態であってもよい。
この場合、冷却ファン７１ａは、自動販売機１０の冷気の吸い込みのため、通常の抵抗部７３に冷却風を送る場合とは逆方向に空気が流れるように逆回転する。
【００６４】
（外部に冷気を排出させる別形態）
また、本実施形態では、自動販売機１０の冷気を負荷試験装置７０が吸い込んで、外部に排出する形態を説明した。
しかしながら、負荷試験装置７０から自動販売機１０へ空気を送り込んで、取り出し口１７から、自動販売機１０の冷気の一部を外部へ排出させる形態であってもよい。
この場合には、循環路２１に外部からの空気が流入するため、自動販売機１０の内部の冷気の流量が多くなり、温度調整部１１の冷却能力を高めることも可能になる。
【００６５】
また、本実施形態では、発電機収納ラック６０の背面壁６２に空気誘導部９１が取り付けられ、発電機収納ラック６０の正面に空気排出部９２が設けられる例を示すが、これらは発電機収納ラック６０の上面壁や側面壁に設けられる形態であってもよい。
例えば、負荷試験装置７０は、冷却部７１と抵抗部７３がｘ方向に並べられ、抵抗部７３の排気口が発電機収納ラック６０の側面壁の一方と対向するように、発電機収納ラック６０に設置され、空気誘導部９１が当該側面壁の一方に取り付けられ、空気排出部９２が側面壁の他方に設けられる形態が考えられる。
【００６６】
また、本実施形態では、制御装置２３による自動制御で、発電機５０のオンオフ切り替えや、発電機５０から自動販売機１０や冷却ファン７１ａへの電力供給が行われる形態を説明したが、使用者などによる手動でこれらの操作が行われる形態であってもよい。
【符号の説明】
【００６７】
１  温度調整システム
１０  自動販売機
１０ａ  正面
１０ｂ  背面
１１  温度調整部
１１ａ  圧縮器
１１ｂ  凝縮器
１１ｃ  凝縮器用ファン
１１ｄ  膨張弁
１１ｅ  蒸発器
１１ｆ  蒸発器用ファン
１１ｇ  冷媒循環路
１３  商品収容ラック
１５  搬出シューター
１７  取り出し口
１７ａ  取り出し口扉
１９  背面開口
１９ａ  第１自動販売機側背面開口
１９ｂ  第２自動販売機側背面開口
２１  循環路
２３  制御装置
２５  通信装置
５０  発電機
５１  吸気管
５２  排気管
６０  発電機収納ラック
６１  開閉扉
６１ａ  開閉扉開口
６２  背面壁
６２ａ  第１ラック側背面開口
６２ｂ  第２ラック側背面開口
６２ｃ  第３ラック側背面開口
７０  負荷試験装置
７１  冷却部
７１ａ  冷却ファン
７１ｂ  制御部
７１ｃ  操作部
７３  抵抗部
７３ａ  第１抵抗器群
７３ｂ  第２抵抗器群
７３ｃ  第３抵抗器群
９１  空気誘導部
９１ａ  第１誘導管
９１ｂ  第１収集部
９１ｃ  逆流防止弁
９６  流路切替弁
９２  空気排出部
９２ａ  第２誘導管
９２ｂ  第２収集部
【図１】
2020176809.tif 000003
【図２】
2020176809.tif 000004
【図３】
2020176809.tif 000005
【図４】
2020176809.tif 000006
【図５】
2020176809.tif 000007
【図６】
2020176809.tif 000008
【図７】
2020176809.tif 000009
【図８】
2020176809.tif 000010
【図９】
2020176809.tif 000011
【図１０】
2020176809.tif 000012
【図１１】
2020176809.tif 000013